(57)【要約】【課題】装飾部品による突出を最小限に抑えながら、手間を要さずに電気的装飾手段を設けられるようにして、棺を華やかで印象的なものとする。【解決手段】配線で連結された複数のＬＥＤ２１を有してなる電気的装飾手段が棺本体３Ａの表面所定位置に配設され、配線に通電することにより各ＬＥＤ２１が発光するものとした装飾棺１Ａにおいて、その電気的装飾手段を、配線を有したテープ状の基部２２の上に平板状のＬＥＤ２１が所定間隔で配置されＬＥＤ２１を含む基部２２の表面が透明または半透明の樹脂で総て覆われて略平滑とされたことにより全体としてテープ状に形成されたＬＥＤテープライト２Ａが、基部２２裏面側を所定の接着手段で棺本体３Ａの表面に接着・固定されてなることを特徴とするものとした。【選択図】図１
0003147587.tif 000002
【実用新案登録請求の範囲】
【請求項１】
配線で連結された複数のＬＥＤを有してなる電気的装飾手段が棺の表面所定位置に配設され、前記配線に通電することにより前記各ＬＥＤが発光するものとした装飾棺において、前記電気的装飾手段は、前記配線を有したテープ状の基部の上に平板状の前記ＬＥＤが所定間隔で配置され該ＬＥＤを含む前記基部の表面が透明または半透明の樹脂で総て覆われて略平滑とされたことで全体としてテープ状に形成されたＬＥＤテープライトが、前記基部裏面側を所定の接着手段で前記棺の表面に接着・固定されてなる、ことを特徴とする装飾棺。
【請求項２】
前記電気的装飾手段は、前記ＬＥＤテープライトの接着手段として両面粘着テープを用いている、ことを特徴とする請求項１に記載した装飾棺。
【請求項３】
前記電気的装飾手段は、前記ＬＥＤテープライトが前記棺の角部を跨ぐ部分に、面状の導電線を備えたシート状の接続部品を屈曲させた状態で介装して電気的に接続している、ことを特徴とする請求項１または２に記載した装飾棺。
【請求項４】
前記電気的装飾手段は、前記ＬＥＤテープライトの表面所定位置に、底面が略扁平の所定形状に加工された透明または半透明の人工宝石または水晶が複数個固定されており、前記ＬＥＤの点灯による光の一部を屈折または／及び変色させることを特徴とする、請求項１，２または３に記載した装飾棺。
【請求項５】
前記電気的装飾手段は、前記棺の表面に設けた溝中に該溝の幅と略同一幅の前記ＬＥＤテープライトを挿設してなる、ことを特徴とする請求項１，２，３または４に記載した装飾棺。
【請求項６】
請求項１，２，３または４に記載した装飾棺におけるものと同一の構成を有した電気的装飾手段を、布地表面に設けてなることを特徴とする装飾棺覆。
【考案の詳細な説明】
【技術分野】
【０００１】
本考案は、装飾棺及び装飾棺覆に関し、殊に、表面に配設した電気的装飾手段が通電により発光して装飾効果を発揮するものとした装飾棺及び装飾棺覆に関する。  
【背景技術】
【０００２】
近年の葬儀セレモニーにおいては、故人や遺族の希望に応じて従来の慣習にとらわれない個性的な演出や装飾がおこなわれるようになっている。殊に、様々な工夫を凝らした模様や文字等の装飾を施すことにより華やかな印象を与えるようにした装飾棺と呼ばれるものが広く普及するに至っている。
【０００３】
例えば、特開２００５−１０２８００号公報には、依頼者の要望で選択された模様を印刷したシートを貼着してなる装飾棺が提案され、また実登第３１４１３１０号公報には、棺本体の表面に様々な図柄や刺繍などの装飾をワッペンにして施すとともに、その装飾の一部に人工宝石を取り付けてなる装飾棺が提案されている。
【０００４】
これらの装飾棺は、依頼者に装飾に関する希望を聞いてからその希望に応じた模様等をオーダーメード的に棺に施すこともできるため、依頼者にとっては満足度の高いものとなりやすい。しかし、このようにして棺に華やかな装飾を施した場合であっても、例えば広いセレモニー会場にあっては、その装飾の内容が視認しにくかったり充分に目立たなかったりする場合もあり、また、参列者もそのような装飾棺を見慣れてしまい、印象に残りにくくなっていることも多い。
【０００５】
そこで、電球やＬＥＤ（発光ダイオード）等の発光部品を配設した電気的装飾手段を設けることも考えられる。しかしながら、発光部品や配線等の部品を配設することにより棺の表面から突出する部分が多くなるため、これらが周囲に接触して破損しやすくなったり運搬や火葬の際に邪魔になって扱いにくくなったりするという問題がある。
【０００６】
また、このように棺に電気的装飾手段を設ける際には、配線及び複数の発光部品を棺表面に取付ける作業に多くの手間と時間を要することとなるため、斯かる装飾棺を短時間で製造することは一般的に困難なものである。
【特許文献１】特開２００５−１０２８００号公報
【特許文献２】実登第３１４１３１０号公報
【考案の開示】
【考案が解決しようとする課題】
【０００７】
本考案は、上記のような問題点を解決しようとするものであり、装飾部品による突出を最小限に抑えながら、手間を要さずに電気的装飾手段を設けられるようにして、棺を華やかで印象的なものとすることを課題とする。
【課題を解決するための手段】
【０００８】
そこで、本考案は、配線で連結された複数のＬＥＤを有してなる電気的装飾手段が棺の表面所定位置に配設され、配線に通電することにより各ＬＥＤが発光するものとした装飾棺において、その電気的装飾手段は、配線を有したテープ状の基部の上に平板状のＬＥＤが所定間隔で配置されＬＥＤを含む基部の表面が透明または半透明の樹脂で総て覆われて略平滑とされたことで全体としてテープ状に形成されたＬＥＤテープライトが、基部裏面側を所定の接着手段で棺の表面に接着・固定されてなることを特徴とするものとした。
【０００９】
このように、棺の表面に設ける電気的装飾手段に、ＬＥＤが配置された基部表面側を透明または半透明の軟質樹脂で覆って平滑にしたＬＥＤテープライトを用いたことにより、表面に発光部品による凹凸が無いものとしながらその点灯による光が外部から充分に視認できるものとなって、華やかさを充分に演出できるものとなり、且つ、電気的装飾手段を全体としてテープ状に形成したことにより、棺表面に取付けることが容易になるとともに、棺の表面からの突出量が最小限に抑えられるため、極めて扱い易いものとなる。
【００１０】
また、この場合、その電気的装飾手段は、ＬＥＤテープライトの接着手段として両面粘着テープを用いたことを特徴としたものとすれば、棺表面に電気的装飾手段を配設する作業が極めて容易なものとなる。
【００１１】
さらに、上述した装飾棺において、その電気的装飾手段は、ＬＥＤテープライトが棺の角部を跨ぐ部分に、面状の導電線を備えたシート状の接続部品を屈曲させた状態で介装して電気的に接続している、ことを特徴としたものとすれば、屈曲しにくいＬＥＤテープライトを棺周囲に連続的に設けることが容易なものとなる。
【００１２】
さらにまた、上述した装飾棺において、その電気的装飾手段は、ＬＥＤテープライトの表面所定位置に、底面が略扁平の所定形状に加工された透明または半透明の人工宝石または水晶の複数個が固定されており、ＬＥＤの点灯による光の一部を屈折または／及び変色させることを特徴としたものとすれば、より華やかな演出を実現しやすいものとなる。
【００１３】
加えて、上述した装飾棺において、その電気的装飾手段は、棺の表面に設けた溝中にその幅と略同一幅のＬＥＤテープライトを挿設してなる、ことを特徴としたものとすれば、その溝の深さ分だけＬＥＤテープライトの突出量が少ないものとなり、同一の深さであればＬＥＤテープライト表面と棺表面とが面一となって、すっきりとした外観にすることができる。
【００１４】
さらに加えて、棺表面の溝中に設けるものを除く上述した装飾棺におけるものと同一の構成を有した電気的装飾手段を、布地表面に設けてなることを特徴とする装飾棺覆とすれば、これを用いて通常の棺を覆うだけで、上述した作用・効果が容易に得られるものとなる。
【考案の効果】
【００１５】
ＬＥＤを配置した基部表面側を透明または半透明の軟質樹脂で平滑に覆ったＬＥＤテープライトを電気的装飾手段とした本考案によると、装飾部品による突出を最小限に抑えながら、手間を要さずに電気的装飾手段を設けられるようになり、棺を華やかで印象的なものとすることができるものである。
【考案を実施するための最良の形態】
【００１６】
以下に、図面を参照しながら、本考案を実施するための最良の形態を説明する。尚、本考案においてＬＥＤとは、発光ダイオードそのものだけを指すのではなく、これを基板または配線中に配設可能な状態としたＬＥＤ部品も含むものとする。
【００１７】
図１は、本考案における第１の実施の形態としての装飾棺１Ａの斜視図を示している。装飾棺１Ａは、木製で無垢の棺本体３Ａの側面下端部に、電気的装飾手段としてＬＥＤテープライト２Ａをその全外周に亘って接着固定してなるものであり、破線で示すＬＥＤテープライト２Ａの基端側にはアダプター５ａが設けられ、このアダプター５ａから延設された電源コード５ｂ先端にはコンセントプラグ５ｃが設けられている。
【００１８】
図２（Ａ）は、このＬＥＤのテープライト２Ａの拡大した部分正面図を示しており、図２（Ｂ）はそのＸ−Ｘ線に沿う縦断面図をさらに拡大して示している。そして、図１に示したように装飾棺１Ａの表面に接着手段で固定され電気的装飾手段として用いられるテープライト２Ａは、テープ状の基部２２の上に平板状のＬＥＤ２１を所定間隔で複数配置した後、全体としてテープ状に形成された点を特徴としている。
【００１９】
即ち、ＬＥＤテープライト２Ａの芯部をなす基部２２は、各ＬＥＤ２１の接続配線を構成する面状の導電線２２ａが間に絶縁部２２ｂを配置されて複数並列に配置されており、その上面を絶縁性の塗装２２ｃで覆われてなるものである。そして、ＬＥＤ２１を含む基部２２の表面を透明の軟質樹脂で覆ってなるカバー部２４により、ＬＥＤテープライト２Ａは、表面全体が略平滑とされて全体としてテープ状に形成されており、両面テープ等の接着手段による接着部２３の一方の面を基部２２の裏面に貼着して設け、他方の面を棺本体３Ａ表面に接着されている。
【００２０】
このように、ＬＥＤテープライト２Ａを、平板状のＬＥＤ２１がテープ状の基部２２上に所定間隔で複数配置され、その表面が平滑になるように透明の軟質樹脂で覆って全体としてテープ状とされたことにより、図１に示したように棺本体３Ａ表面からの電気的装飾手段の突出を極めて小さく抑えることができる。
【００２１】
また、通電により点灯した各ＬＥＤ２１の光で軟質樹脂からなるカバー部２４自体も光って見えるため、幻想的で華やかな光の装飾が実現されるものとなる。尚、基部２２の表面の彩色（塗装２２ｃ）を、棺本体３Ａと同じ色にすることにより、各ＬＥＤ２１点灯前において装飾が目立たないものとなり、華やかな点灯時とのギャップが大きなものとなる。従って、例えばアダプター５ａにコントローラ機能を付加し、各ＬＥＤ２１を所定のリズムで点滅させるようにすることで、より印象的で華やかな演出を行うことも可能となる。
【００２２】
図３（Ａ）は、ＬＥＤテープライト２Ａが棺本体３Ａの角部を跨ぐ部分における接続手段を示す平面図であり、図３（Ｂ）は実際に棺本体３Ａの角部で接続した状態を示す横断面図である。このＬＥＤテープライト２Ａは湾曲可能なものではあるが、一般的には６０°以上鋭角に屈曲させることができないため、図のような面取りのない直角の角部を渡して密着した状態で固定することは困難である。
【００２３】
そこで、図３（Ａ）に示したように、屈曲させる部分に面状の導電線を有してシート状とされたフレキシブル部２６ｂを中央に配して両端側に接続ピン２６ａを複数突出してなる接続部品２６を用い、ＬＥＤテープライト２Ａの分断箇所である接続端２５，２５に挿入・接続した状態で介装することにより、図３（Ｂ）に示したように、棺本体３Ａの直角方向に隣接する両側面への密着状態を維持させながら、容易に対応可能としている。
【００２４】
図４は、図１に示した装飾棺１Ａの応用例としての装飾棺１Ｂの斜視図を示したものであり、その棺本体３Ａの裏側（参列者からは見えない側）から見た状態を示している。この例においては、ＬＥＤテープライト２Ｂの基部表面の色を暗色にしてあり、各ＬＥＤ２１を点灯する前から装飾自体が目立ちやすいものとなっている。また、その電源手段を、ＬＥＤテープライト２Ｂ基端側から延設した電源コード５ｂとその先端に設けた電池ボックス５ｃとしたことにより、近くに電源コンセントがなくても点灯可能となっている。
【００２５】
図５は、図１に示した装飾棺１Ａの他の応用例を示すものであり、棺本体３Ｂが木材表面に布材を貼ってなる布棺の場合を説明するためのものである。棺本体３Ｂを覆う布材には模様３１，３２が表されて豪華な印象を与えるものとなっているが、この場合も図１の装飾棺１Ａと同様に、その側面下端に電気的装飾手段としてＬＥＤテープライト２Ａをその外周に亘って接着固定しており、上記同様の作用・効果が期待できるようになっている。
【００２６】
また、図６も上記同様に図１に示した装飾棺１Ａの他の応用例を示すものであるが、木棺の一部分に立体的な彫刻３３，３４を施してなる棺本体３Ｃに、上記同様にＬＥＤテープライト２Ａを設けたものである。この例では、上記作用・効果に加え、ＬＥＤテープライト２Ａで立体的な彫刻３３，３４が下から照らされるため、凹凸部分の明暗が強調されて装飾としてより印象深いものとなる。
【００２７】
図７は、本考案における第２の実施の形態としての装飾棺１Ｄの斜視図を示している。本実施の形態では、棺本体３Ｄの側面下端側に下端線に沿って溝３６が設けられ、その幅とほぼ同じ幅のＬＥＤテープライト２Ａが挿入されて固定された点を特徴としている。
【００２８】
このような構成としたことで、その溝３６の深さ分だけＬＥＤテープライト２Ａの突出量の少ないものとなって、より扱いやすいものとなっている。また、本実施の形態においては、溝３６の深さがＬＥＤテープライト２Ａの厚さとほぼ同一であるため、棺本体３Ｄの側面がほぼ面一となって、すっきりとした外観を構成している。
【００２９】
図８は、本考案における第３の実施の形態である装飾棺覆４の斜視図を示している。本実施の形態では、棺に電気的装飾手段を施すのではなく、棺を覆う棺覆に電気的装飾手段としてのＬＥＤテープライト２Ａを設けて装飾棺覆４とした点を特徴としている。装飾棺覆４には模様４１，４２が施されており、それだけで華やかなものとしているが、図のようにＬＥＤテープライト２Ａによる電気的装飾手段を追加したことで、一層華やかで印象深い演出が可能なものとなり、この装飾棺覆４を通常の棺に被せるだけで簡易にその作用・効果を発揮できるものとなる。
【００３０】
図９，図１０は、上述した各実施の形態に共通して使用することのできるＬＥＤテープライトの構成についての応用例を示すものであり、図９（Ａ）は、上述したＬＥＤテープライト２Ａの表面に人工ダイヤモンド等の人工宝石や水晶などの透明または半透明の宝石２７を複数配置して固定してなることを特徴とした、ＬＥＤテープライト２Ｃの部分正面図を示すものであり、図９（Ｂ）はそのＸ−Ｘ線に沿う拡大した断面図を示すものである。
【００３１】
この場合、宝石２７は裏面が扁平に形成され、この部分がカバー部２４表面のＬＥＤ２１上に両面テープ等のほぼ透明な接着手段２７ｂにより接着・固定されており、ＬＥＤ２１から出た光がカバー部２４を通り宝石２７内に入り、さらにプリズム効果で屈折しながら様々な方向に光が拡散するものとなる。また、宝石２７を介して屈折した光が棺本体に映し出されてさらに幻想的な光模様を描きだすことから、宝石２７自体の美しさとともに一層華やかな演出を実現することができる。
【００３２】
図１０（Ａ）は、宝石２７を台座２８で支持したものを、上述したＬＥＤテープライト２Ａの表面に複数配置して固定してなることを特徴とした、ＬＥＤテープライト２Ｄの部分正面図を示すものであり、図１０（Ｂ）はそのＸ−Ｘ線に沿う断面図を示している。この場合も、前述のＬＥＤテープライト２Ｃと同様の効果を発揮するものであるが、図１０（Ｂ）に示すように、宝石２７が台座２８で支持されている点で一層豪華な印象を与えるものとなっている。尚、台座２８の底部には貫通孔２８ａが設けられており、ＬＥＤ２１から発した光が宝石２７内に侵入可能とされている。
【００３３】
尚、上述した各実施の形態に共通して、例えば両面テープを接着手段として、ＬＥＤテープライトを既存の棺本体や棺覆に貼り付けることにより電気的装飾手段を設けるようにすることで、極めて簡易な手順でしかも極めて短時間で作成できるものとなり、セレモニーに華を添える優れた演出が手間を要することなく容易に実現できるものとなる。
【００３４】
また、上述したＬＥＤテープライトは、棺ごと焼却しても燃えずに残る不燃部分が極めて少量であるため、処理に窮する心配は殆どないものである。この場合、人工宝石は殆どのものが燃焼して炭化し、台座も樹脂製のものを用いれば焼却可能である。
【００３５】
さらに、上述した説明において、ＬＥＤテープライトを棺本体または棺覆の側面下端部の外周に沿って設ける場合を説明したが、本考案はこれに限定されるものではなく、例えば棺本体上面に配設してもよく、或いはＬＥＤテープライトで模様や文字を描いても良いことは言うまでもない。
【００３６】
以上、述べたように、本考案により、装飾部品による突出を最小限に抑えながら、手間を要さずに電気的装飾手段を設けられるようになり、棺を華やかで印象的なものとすることが可能となった。
【図面の簡単な説明】
【００３７】
【図１】本考案における第１の実施の形態を示す斜視図。
【図２】（Ａ）は図１のＬＥＤテープライトの拡大した部分正面図、（Ｂ）は（Ａ）のＸ−Ｘ線に沿う拡大した断面図。
【図３】（Ａ）は図１のＬＥＤテープライトの接続部分の拡大した部分正面図、（Ｂ）は（Ａ）のＬＥＤテープライトを棺本体角部に設けた状態を示す横断面図。
【図４】図１の装飾棺の応用例を示す斜視図。
【図５】図１の装飾棺の応用例を示す斜視図。
【図６】図１の装飾棺の応用例を示す斜視図。
【図７】本考案における第２の実施の形態を示す斜視図。
【図８】本考案における第３の実施の形態を示す斜視図。
【図９】（Ａ）は電気的装飾手段の応用例を示す部分正面図、（Ｂ）はそのＸ−Ｘ線に沿う拡大した断面図。
【図１０】（Ａ）は電気的装飾手段の応用例を示す部分正面図、（Ｂ）はそのＸ−Ｘ線に沿う拡大した断面図。
【符号の説明】
【００３８】
１Ａ，１Ｂ，１Ｃ，１Ｄ  装飾棺、２Ａ，２Ｂ，２Ｃ，２Ｄ  ＬＥＤテープライト、３Ａ，３Ｂ，３Ｃ，３Ｄ  棺本体、４  装飾棺覆、２１  ＬＥＤ、２２  基部、２２ａ  導電線、２３  接着部、２４  カバー部、２６  接続部品、２６ｂ  フレキシブル部、２７  宝石、３６  溝
【図１】
0003147587.tif 000003
【図２】
0003147587.tif 000004
【図３】
0003147587.tif 000005
【図４】
0003147587.tif 000006
【図５】
0003147587.tif 000007
【図６】
0003147587.tif 000008
【図７】
0003147587.tif 000009
【図８】
0003147587.tif 000010
【図９】
0003147587.tif 000011
【図１０】
0003147587.tif 000012